(57)【要約】【課題】視聴環境が変化した場合等にＯＳＤ画像の視認性が低下することを抑制可能なプロジェクタを提供する。【解決手段】画像分離部５１は、入力画像にＯＳＤ画像が重畳されている場合に、入力される画像情報から、ＯＳＤ画像が重畳されているＯＳＤ領域の画像情報を分離する。画像分離部５１は、分離したＯＳＤ領域の画像情報をバッファ５３に出力し、ＯＳＤ画像の外側の背景領域の画像情報を画質調整処理部５２に出力する。画質調整処理部５２は、背景領域の画像情報に対して画質調整処理を施し、処理後の画像情報を画像合成部５４に出力する。バッファ５３は、ＯＳＤ領域の画像情報を一時的に記憶した後、画像合成部５４に出力する。画像合成部５４は、画質調整処理部５２から入力される画像情報と、バッファ５３から入力される画像情報とを合成し、これを画像投写部１０に出力する。【選択図】図５
2009223109.tif 000002
【特許請求の範囲】
【請求項１】
画像情報が入力される画像情報入力部と、
前記画像情報に対して画像処理を施す画像処理部と、
画像の画質を調整するための画質調整モードを設定させるモード設定部と、
前記画像処理部で前記画像処理が施された画像情報に対して、前記モード設定部で設定
された画質調整モードに応じた画質調整を施す画質調整部と、
前記画質調整部で前記画質調整が施された画像情報に基づいて前記画像を投写する画像
投写部と、
を備え、
前記画像処理部は、前記画像情報に基づく画像にＯＳＤ画像を重畳させる機能を有し、
前記画質調整部は、前記ＯＳＤ画像が重畳されている場合には、少なくとも当該ＯＳＤ
画像が重畳されている領域を前記画質調整の対象から除外することを特徴とするプロジェ
クタ。
【請求項２】
請求項１に記載のプロジェクタであって、
前記モード設定部は、前記画質調整モードを設定するための設定画面を、前記画像処理
部によって前記ＯＳＤ画像として重畳させることを特徴とするプロジェクタ。
【請求項３】
請求項１又は２に記載のプロジェクタであって、
前記画質調整部は、前記ＯＳＤ画像が重畳されている場合に、前記ＯＳＤ画像の外側の
領域に前記画質調整を施すことを特徴とするプロジェクタ。
【請求項４】
請求項３に記載のプロジェクタであって、
前記画質調整部は、
前記画像処理部で前記画像処理が施された画像情報から、前記ＯＳＤ画像が重畳された
領域の画像情報を分離する画像分離部と、
前記ＯＳＤ画像の外側の領域の画像情報に対して前記画質調整モードに応じた画質調整
を施す画質調整処理部と、
前記画質調整処理部で前記画質調整がなされた画像情報に、前記画像分離部で分離され
た画像情報を合成する画像合成部と、
を備えたことを特徴とするプロジェクタ。
【発明の詳細な説明】
【技術分野】
【０００１】
本発明は、入力される画像情報に基づく画像を投写するプロジェクタに関する。
【背景技術】
【０００２】
入力される画像情報に基づく画像を投写するプロジェクタにおいて、投写する画像の画
質を、映像ソースや視聴環境等に応じて調整することが可能なプロジェクタが知られてい
る（例えば、特許文献１参照）。このプロジェクタを用いれば、例えば、明るい環境下で
画像を鑑賞する際には、明るさやコントラストを強調するような画質調整を施すことによ
り、明るい環境下でも視認性に優れた画像を鑑賞することが可能となる。一方、暗い環境
下で映画等を鑑賞する際には、明るさやコントラストよりも色の再現性を重視した画質調
整を施すことにより、映画館で映画を観るように、自然な色合いで画像を鑑賞することが
できる。ユーザは、リモコン等を操作して、ＯＳＤ（On Screen Display）画像である設
定画面（メニュー画像）を表示させることにより、複数の画質調整モード（カラーモード
）の中から、適用すべき画質調整モードを映像ソースや視聴環境等に応じて設定すること
ができる。
【０００３】
【特許文献１】特開２００７−７４３４７号公報
【発明の開示】
【発明が解決しようとする課題】
【０００４】
しかしながら、画質調整モードを設定した後に視聴環境が変化すると、画像の視認性が
著しく低下してしまう場合がある。例えば、夜間の暗い環境化において、色の再現性を重
視した画質調整モードに設定して映画等を鑑賞した後、そのままの設定で昼間に画像を鑑
賞しようとすると、明るさやコントラストが不足して視認性が低下してしまう事態が生じ
うる。この場合には、設定画面を表示させ、画像調整モードの設定を変更する必要が生じ
るが、設定画面の視認性も同様に低下しているため、画像調整モードの設定操作が困難に
なってしまうという問題を有している。
【課題を解決するための手段】
【０００５】
本発明は、上述の課題の少なくとも一部を解決するためになされたものであり、以下の
形態又は適用例として実現することが可能である。
【０００６】
［適用例１］本適用例に係るプロジェクタは、画像情報が入力される画像情報入力部と
、前記画像情報に対して画像処理を施す画像処理部と、画像の画質を調整するための画質
調整モードを設定させるモード設定部と、前記画像処理部で前記画像処理が施された画像
情報に対して、前記モード設定部で設定された画質調整モードに応じた画質調整を施す画
質調整部と、前記画質調整部で前記画質調整が施された画像情報に基づいて前記画像を投
写する画像投写部と、を備え、前記画像処理部は、前記画像情報に基づく画像にＯＳＤ画
像を重畳させる機能を有し、前記画質調整部は、前記ＯＳＤ画像が重畳されている場合に
は、少なくとも当該ＯＳＤ画像が重畳されている領域を前記画質調整の対象から除外する
ことを特徴とする。
【０００７】
このプロジェクタによれば、画質調整部は、ＯＳＤ画像が重畳されている場合に、ＯＳ
Ｄ画像が重畳されている領域を画質調整の対象から除外するため、設定された画質調整モ
ードに応じた画質調整がＯＳＤ画像に施されることがなくなる。このため、視聴環境が変
化して、設定された画質調整モードでは画像の視認性が低下する環境になった場合であっ
ても、ＯＳＤ画像の視認性の低下を抑制することが可能となる。
【０００８】
［適用例２］上記適用例に係るプロジェクタにおいて、前記モード設定部は、前記画質
調整モードを設定するための設定画面を、前記画像処理部によって前記ＯＳＤ画像として
重畳させることが望ましい。
【０００９】
このプロジェクタによれば、画質調整モードを設定するための設定画面がＯＳＤ画像と
して重畳されるため、設定された画質調整モードに応じた画質調整が設定画面に施される
ことがなくなる。このため、視聴環境が変化して、設定された画質調整モードでは画像の
視認性が低下する環境になった場合であっても、設定画面の視認性の低下が抑制され、新
たな視聴環境に適した画質調整モードへの変更（再設定）を容易に行うことが可能となる
。
【００１０】
［適用例３］上記適用例に係るプロジェクタにおいて、前記画質調整部は、前記ＯＳＤ
画像が重畳されている場合に、前記ＯＳＤ画像の外側の領域に前記画質調整を施すことが
望ましい。
【００１１】
このプロジェクタによれば、ＯＳＤ画像が重畳されている場合であってもＯＳＤ画像の
外側には画質調整が施されるため、ＯＳＤ画像が重畳される際に、ＯＳＤ画像の外側の画
質が変化することがなくなり、ユーザに違和感を与えずに済む。
【００１２】
［適用例４］上記適用例に係るプロジェクタにおいて、前記画質調整部は、前記画像処
理部で前記画像処理が施された画像情報から、前記ＯＳＤ画像が重畳された領域の画像情
報を分離する画像分離部と、前記ＯＳＤ画像の外側の領域の画像情報に対して前記画質調
整モードに応じた画質調整を施す画質調整処理部と、前記画質調整処理部で前記画質調整
がなされた画像情報に、前記画像分離部で分離された画像情報を合成する画像合成部と、
を備えることが望ましい。
【００１３】
このプロジェクタによれば、上記のプロジェクタと同様の効果を得ることが可能となる
。
【発明を実施するための最良の形態】
【００１４】
以下、本実施形態に係るプロジェクタについて、図面を参照して説明する。
図１（ａ）、（ｂ）は、本実施形態のプロジェクタを示す斜視図であり、（ａ）は、プ
ロジェクタを前面側から見た図、（ｂ）は、プロジェクタを背面側から見た図である。
図１（ａ）、（ｂ）に示すように、本実施形態のプロジェクタ１は、筐体２で囲まれた
構成を有しており、筐体２の前面２ｆには、前方に向けて画像を投写する投写レンズ１３
が露出している。プロジェクタ１は、外部の画像出力装置（例えば、パーソナルコンピュ
ータ）１００に接続され、この画像出力装置１００から入力される画像情報に基づく画像
（以降、「入力画像」という。）Ｇｉを、投写レンズ１３からスクリーン等の投写面Ｓに
投写する。また、筐体２の上面２ｔには、ユーザにより入力操作が行われる操作パネル２
２が設けられ、筐体２の前面２ｆ及び背面２ｂの双方には、リモコン２３から送信される
操作信号を受信可能な操作信号受信部２４が備えられている。
【００１５】
図２は、プロジェクタ１の概略構成を示すブロック図である。
図２に示すように、プロジェクタ１は、画像投写部１０、制御部２０、記憶部２１、操
作パネル２２、リモコン２３、操作信号受信部２４、画像情報入力部３０、画像処理部３
１、画質調整部３２等で構成されている。
【００１６】
画像投写部１０は、光源１１、光変調装置としての３つの液晶ライトバルブ１２Ｒ，１
２Ｇ，１２Ｂ、投写光学系としての投写レンズ１３、ライトバルブ駆動部１４等を含んで
いる。画像投写部１０は、表示部に相当するものであり、光源１１から射出された光を、
液晶ライトバルブ１２Ｒ，１２Ｇ，１２Ｂで変調して画像を形成し、この画像を投写レン
ズ１３から投写して投写面Ｓに表示する。
【００１７】
光源１１は、超高圧水銀ランプやメタルハライドランプ等からなる放電型の光源ランプ
１１ａと、光源ランプ１１ａが放射した光を液晶ライトバルブ１２Ｒ，１２Ｇ，１２Ｂ側
に反射するリフレクタ１１ｂとを含んで構成されている。光源１１から射出された光は、
図示しないインテグレータ光学系によって輝度分布が略均一な光に変換され、図示しない
色分離光学系によって光の３原色である赤色（Ｒ）、緑色（Ｇ）、青色（Ｂ）の各色光成
分に分離された後、それぞれ液晶ライトバルブ１２Ｒ，１２Ｇ，１２Ｂに入射する。
【００１８】
液晶ライトバルブ１２Ｒ，１２Ｇ，１２Ｂは、一対の透明基板間に液晶が封入された液
晶パネル等によって構成される。液晶ライトバルブ１２Ｒ，１２Ｇ，１２Ｂには、マトリ
クス状に配列された複数の画素が形成されており、液晶に対して画素毎に駆動電圧を印加
可能になっている。ライトバルブ駆動部１４が、入力される画像情報に応じた駆動電圧を
各画素に印加すると、各画素は、画像情報に応じた光透過率に設定される。このため、光
源１１から射出された光は、この液晶ライトバルブ１２Ｒ，１２Ｇ，１２Ｂを透過するこ
とによって変調され、画像情報に応じた画像が色光毎に形成される。形成された各色の画
像は、図示しない色合成光学系によって画素毎に合成されてカラー画像となった後、投写
レンズ１３によって拡大投写される。
【００１９】
制御部２０は、ＣＰＵ（Central Processing Unit）や、各種データ等の一時記憶に用
いられるＲＡＭ（Random Access Memory）等（いずれも図示せず）を備え、記憶部２１に
記憶されている制御プログラムに従って動作することによりプロジェクタ１の動作を統括
制御する。つまり、制御部２０は、記憶部２１とともにコンピュータとして機能する。
【００２０】
記憶部２１は、マスクＲＯＭ（Read Only Memory）や、フラッシュメモリ、ＦｅＲＡＭ
（Ferroelectric RAM：強誘電体メモリ）等の不揮発性のメモリにより構成されている。
記憶部２１には、プロジェクタ１の動作を制御するための制御プログラムや、プロジェク
タ１の動作条件等を規定する各種設定データ等が記憶されている。
【００２１】
操作パネル２２及びリモコン２３は、ユーザからの入力操作を受け付ける入力操作部に
相当するものであり、ユーザがプロジェクタ１に対して各種指示を行うための複数の操作
キーを備えている。操作パネル２２及びリモコン２３が備える操作キーとしては、電源の
オン・オフを切り替えるための「電源キー」、各種設定を行うための環境設定メニューＧ
ｍ（図３参照）を表示させる「メニューキー」、環境設定メニューＧｍ等において項目の
選択等に用いられる「方向キー」（上下左右に対応する４つのキー）、環境設定メニュー
Ｇｍ等で選択された項目を決定する「決定キー」、動作の取消を指示する「取消キー」、
後述する画質調整モードを設定するための「モード設定キー」等がある。ユーザが操作パ
ネル２２の各種操作キーを操作すると、操作パネル２２は、ユーザの操作内容に応じた操
作信号を制御部２０に出力する。また、ユーザがリモコン２３の各種操作キーを操作する
と、リモコン２３は、ユーザの操作内容に応じた赤外線の操作信号を発し、操作信号受信
部２４がこれを受信して制御部２０に伝達する。
【００２２】
画像情報入力部３０には、パーソナルコンピュータやＤＶＤ（Digital Versatile Disc
）再生装置等、外部の画像出力装置１００とケーブルを介した接続を行うための接続端子
（図示せず）が備えられており、画像出力装置１００から各種形式の画像情報（画像信号
）が入力される。画像情報入力部３０は、入力された画像情報を、デジタルの画像情報に
変換して画像処理部３１に出力する。
【００２３】
画像処理部３１は、画像情報入力部３０から順次入力される画像情報に対して、各種画
像処理を施す画像プロセッサである。画像処理部３１は、単一の半導体装置で構成されて
おり、その内部には、スケーラ４１、ＯＳＤ処理部４２、ＯＳＤメモリ４３等を備えてい
る。これ以外に、画像処理部３１には、画像を斜め方向から投写した場合に生じる台形状
の歪を補正するためのキーストーン補正部等が含まれる場合もあるが、本明細書では、そ
の記載及び図示を省略する。
【００２４】
スケーラ４１は、画像情報入力部３０から入力される画像情報の解像度（画素数）を、
液晶ライトバルブ１２Ｒ，１２Ｇ，１２Ｂの解像度（画素数）に合わせるための処理を行
って、液晶ライトバルブ１２Ｒ，１２Ｇ，１２Ｂのすべての画素に対応する複数の画素値
からなる画像情報に変換する。画素値とは、対応する画素の光透過率を定めるものであり
、この画素値によって、各画素から射出する光の強弱（階調）が規定される。スケーラ４
１は、変換後の画像情報をＯＳＤ処理部４２に出力する。
【００２５】
ＯＳＤ処理部４２は、制御部２０の指示に基づいて、メニュー画像やメッセージ画像等
のＯＳＤ（On Screen Display）画像を、入力画像Ｇｉに重畳して表示するための処理を
行う。例えば、ユーザにより操作パネル２２或いはリモコン２３のメニューキーが操作さ
れた場合には、制御部２０は、ＯＳＤ画像である環境設定メニュー（トップメニュー）Ｇ
ｍを入力画像Ｇｉに重畳させる（図３参照）。
【００２６】
ＯＳＤ処理部４２には、ＯＳＤメモリ４３が接続されている。ＯＳＤメモリ４３には、
プロジェクタ１で利用可能なすべてのＯＳＤ画像に関して、ＯＳＤ画像そのものを表すＯ
ＳＤ画像情報と、ＯＳＤ画像の形状や大きさを表すＯＳＤ形状情報と、入力画像Ｇｉ内に
おいてＯＳＤ画像を重畳すべき位置を表すＯＳＤ位置情報とが、それぞれ対応付けられて
記憶されている。なお、図３に示すように、ＯＳＤ画像（この例では、環境設定メニュー
Ｇｍ）が矩形の場合、ＯＳＤ形状情報としては、例えば、ＯＳＤ画像の横の長さ（画素数
）Ｌｘ及び縦の長さ（画素数）Ｌｙが用いられ、ＯＳＤ位置情報としては、例えば、入力
画像Ｇｉの左上の角からＯＳＤ画像の左上の角までの横方向の間隔（画素数）Ｐｘ及び縦
方向の間隔（画素数）Ｐｙが用いられる。
【００２７】
図２に戻って、制御部２０がＯＳＤ画像を重畳させるための制御情報をＯＳＤ処理部４
２に出力すると、ＯＳＤ処理部４２は、この制御情報に基づくＯＳＤ画像情報、ＯＳＤ形
状情報、及びＯＳＤ位置情報をＯＳＤメモリ４３から読み出す。そして、ＯＳＤ処理部４
２は、ＯＳＤ位置情報に基づく位置に、ＯＳＤ画像情報に基づくＯＳＤ画像が重畳される
ように、スケーラ４１から入力される画像情報にこのＯＳＤ画像情報を合成する処理を施
し、処理後の画像情報を画質調整部３２に出力する。また、ＯＳＤ処理部４２は、ＯＳＤ
メモリ４３から読み出したＯＳＤ形状情報とＯＳＤ位置情報とを制御部２０に出力する。
【００２８】
一方、制御部２０からＯＳＤ画像を重畳しない旨の制御情報が入力された場合には、Ｏ
ＳＤ処理部４２は、画像処理部３１から入力される画像情報を、そのまま画質調整部３２
に出力する。
【００２９】
画質調整部３２は、制御部２０の指示に基づいて、画像処理部３１から入力される画像
情報に画質を調整するための処理を施し、処理後の画像情報をライトバルブ駆動部１４に
出力する。ユーザは、操作パネル２２或いはリモコン２３に備わるモード設定キーを操作
することにより、複数の画質調整モードの中から所望の１つを選択して設定することが可
能になっており、画質調整部３２は、設定された画質調整モードに応じた画質調整処理を
実施する。画質調整部３２の詳細については後述する。
【００３０】
ライトバルブ駆動部１４が、画質調整部３２から入力される画像情報に従って液晶ライ
トバルブ１２Ｒ，１２Ｇ，１２Ｂを駆動すると、液晶ライトバルブ１２Ｒ，１２Ｇ，１２
Ｂは、画像情報に応じた画像を形成し、この画像が投写レンズ１３から投写される。
【００３１】
プロジェクタ１が入力画像Ｇｉを投写している状態で、操作パネル２２或いはリモコン
２３に備わるモード設定キーが操作されると、制御部２０は、画質調整モードを設定する
ための画質調整モード設定メニューＧｃ（図４参照）を入力画像Ｇｉ上に重畳して表示さ
せる。なお、メニューキーが操作された場合に重畳される環境設定メニューＧｍ（図３参
照）からも、画質調整モード設定メニューＧｃを表示させるための操作を行うことができ
るようになっている。図３に示すように、環境設定メニューＧｍには、プロジェクタ１の
様々な設定を行うための複数の項目が列記されており、ユーザは、操作パネル２２或いは
リモコン２３に備わる方向キーを操作して所望の項目を選択した後に決定キーを操作する
ことにより、選択した項目に関する設定を行うことができる。環境設定メニューＧｍには
、画質調整モードを設定するための項目「画質調整モード」も含まれており、ユーザによ
り「画質調整モード」が選択されて決定キーが操作されると、制御部２０は、画質調整モ
ード設定メニューＧｃ（図４参照）を入力画像Ｇｉ上に重畳させる。
【００３２】
図４に示すように、画質調整モード設定メニューＧｃには、選択可能な複数の画質調整
モードが列記されている。具体的には、上から順に「ダイナミック」、「リビング」、「
シアター」、「シアターブラック」の４つの画質調整モードが表記されており、ユーザは
、操作パネル２２或いはリモコン２３の方向キー及び決定キーを操作することにより、所
望の画質調整モードに設定することができる。
【００３３】
ユーザは、例えば、視聴環境の明るさに応じて画質調整モードを選択する。上記の４つ
の画質調整モードのうち、「ダイナミック」及び「リビング」は、明るい環境下での画像
鑑賞に適した画質調整モードである。これらは、色の再現性をある程度犠牲にして、明る
さを重視した画質調整を行うためのものであり、この２つの画質調整モードの中では、「
リビング」よりも「ダイナミック」のほうが明るさが重視される。また、「シアター」及
び「シアターブラック」は、暗い環境下で映画等を鑑賞するのに適した画質調整モードで
ある。これらは、明るさを犠牲にして、色の再現性を重視した画質調整を行うためのもの
であり、この２つの画質調整モードの中では、「シアター」よりも「シアターブラック」
のほうが色の再現性が重視される。
【００３４】
制御部２０は、ユーザにより画質調整モードが設定されると、ＯＳＤ処理部４２に指示
をして画質調整モード設定メニューＧｃの重畳を終了させる。さらに、画質調整部３２に
制御情報を出力して、設定された画質調整モードを通知し、この画質調整モードに応じた
画質調整を行わせる。画質調整部３２には、各画質調整モードに対応する複数のＬＵＴ（
Look Up Table）が備えられており、画質調整モードが設定されると、画質調整部３２は
、設定された画質調整モードに対応するＬＵＴを有効にする。そして、それ以降、画像処
理部３１から入力される画像情報に対して、有効なＬＵＴを用いて画素値の変換を行うこ
とにより画質調整を実施する。
【００３５】
ここで、本実施形態の画質調整部３２は、環境設定メニューＧｍや画質調整モード設定
メニューＧｃ等のＯＳＤ画像が入力画像Ｇｉ上に重畳されている場合には、ＯＳＤ画像が
重畳されている領域を画質調整の対象から除外して、ＯＳＤ画像の外側の領域に対しての
み画質調整を施すようになっている。
【００３６】
図５は、画質調整部３２の詳細な構成を示すブロック図である。
図５に示すように、画質調整部３２は、画像分離部５１と、画質調整処理部５２と、バ
ッファ５３と、画像合成部５４とを備えて構成されている。
【００３７】
画像分離部５１は、入力画像ＧｉにＯＳＤ画像が重畳されている場合に、画像処理部３
１から入力される画像情報から、ＯＳＤ画像が重畳されている領域（以降、「ＯＳＤ領域
」と呼ぶ。）の画像情報を分離する。画像分離部５１は、分離した画像情報、即ちＯＳＤ
領域の画像情報をバッファ５３に出力し、残りの画像情報、即ちＯＳＤ画像の外側の領域
（以降、「背景領域」と呼ぶ。）の画像情報を画質調整処理部５２に出力する。また、画
像分離部５１は、入力画像ＧｉにＯＳＤ画像が重畳されていない場合には、画像処理部３
１から入力される画像情報をそのまま画質調整処理部５２に出力する。
【００３８】
より具体的には、操作パネル２２及びリモコン２３に備わるメニューキーやモード設定
キーが操作されると、制御部２０は、ＯＳＤ処理部４２に指示をしてＯＳＤ画像（環境設
定メニューＧｍ、画質調整モード設定メニューＧｃ等）を重畳させる。その後、制御部２
０は、ＯＳＤ処理部４２から入力されるＯＳＤ形状情報及びＯＳＤ位置情報を制御情報と
して画像分離部５１に出力する。画像分離部５１は、この制御情報に基づいてＯＳＤ領域
の形状（大きさ）及び位置を認識し、画像を構成する各画素がＯＳＤ領域の内にあるか外
にあるかを判定する。そして、画像処理部３１から入力される画像情報のうち、ＯＳＤ領
域内の画素の画素値をバッファ５３に出力し、ＯＳＤ領域外の画素、即ち背景領域にある
画素の画素値を画質調整処理部５２に出力する。
【００３９】
画質調整処理部５２は、画像分離部５１から入力される画像情報（ＯＳＤ画像が重畳さ
れている場合には背景領域の画像情報、ＯＳＤ画像が重畳されていない場合には全域の画
像情報）に対して、制御部２０から通知された画質調整モード、即ちユーザにより設定さ
れた画質調整モードに対応するＬＵＴを用いて画質調整処理を施し、処理後の画像情報を
画像合成部５４に出力する。
【００４０】
バッファ５３は、画像分離部５１から入力されるＯＳＤ領域の画像情報を一時的に記憶
し、画質調整処理部５２が画像合成部５４に画像情報を出力するタイミングに合わせて、
記憶している画像情報を画像合成部５４に出力する。
【００４１】
画像合成部５４は、画質調整処理部５２から入力される画像情報と、バッファ５３から
入力される画像情報とを合成し、合成後の画像情報を画像投写部１０（ライトバルブ駆動
部１４）に出力する。このため、ＯＳＤ画像が重畳されている場合には、画質調整がなさ
れた背景領域の画像情報と、画質調整がなされていないＯＳＤ領域の画像情報とが合成さ
れて出力される。
【００４２】
この結果、画像合成部５４から出力される画像情報に基づく画像が画像投写部１０から
投写される。そして、この画像にＯＳＤ画像が重畳されている場合、ＯＳＤ画像には画質
調整処理が施されておらず、背景領域にある入力画像Ｇｉにのみ画質調整処理が施された
状態で画像が表示される。また、画像にＯＳＤ画像が含まれておらず、入力画像Ｇｉのみ
が投写されている場合には、すべての画像情報が画質調整処理部５２を経由するため、入
力画像Ｇｉの全域に画質調整処理が施された状態で画像が表示される。
【００４３】
以上説明したように、本実施形態のプロジェクタ１によれば、以下の効果を得ることが
できる。
【００４４】
（１）本実施形態のプロジェクタ１によれば、画質調整部３２は、ＯＳＤ画像が重畳さ
れている場合に、ＯＳＤ領域を画質調整の対象から除外するため、設定された画質調整モ
ードに応じた画質調整がＯＳＤ画像に施されることがなくなる。このため、視聴環境が変
化して、設定された画質調整モードでは画像の視認性が低下する環境になった場合であっ
ても、ＯＳＤ画像の視認性の低下を抑制することが可能となる。例えば、夜間の暗い環境
下で、明るさを犠牲にした画質調整モード（「シアター」又は「シアターブラック」）に
設定して映画等を鑑賞した後、そのままの設定で昼間に画像を鑑賞しようとする際でも、
ＯＳＤ画像の明るさの不足が抑制され、ＯＳＤ画像の視認性が向上する。
【００４５】
（２）本実施形態のプロジェクタ１によれば、画質調整モードを設定するための画質調
整モード設定メニューＧｃがＯＳＤ画像として重畳されるため、設定された画質調整モー
ドに応じた画質調整が画質調整モード設定メニューＧｃに施されることがなくなる。この
ため、視聴環境が変化して、設定された画質調整モードでは画像の視認性が低下する環境
になった場合であっても、画質調整モード設定メニューＧｃの視認性の低下が抑制され、
新たな視聴環境に適した画質調整モードへの変更（再設定）を容易に行うことが可能とな
る。例えば、夜間の暗い環境下で、明るさを犠牲にした画質調整モード（「シアター」又
は「シアターブラック」）に設定して映画等を鑑賞した後、そのままの設定で昼間に画像
を鑑賞しようとする際でも、画質調整モード設定メニューＧｃの視認性の低下が抑制され
ているため、明るい環境下での視聴に適した画質調整モード（「ダイナミック」又は「リ
ビング」）への変更を容易に行うことができる。
【００４６】
（３）本実施形態のプロジェクタ１によれば、ＯＳＤ画像が重畳されている場合であっ
てもＯＳＤ画像の外側の背景領域には画質調整が施されるため、ＯＳＤ画像が重畳される
際に、背景領域の画質が変化することがなくなり、ユーザに違和感を与えずに済む。
【００４７】
なお、本実施形態では、画質調整モードを設定するための画質調整モード設定メニュー
Ｇｃが、設定画面に相当する。また、ユーザに画質調整モードを設定させるべく、画像処
理部３１（ＯＳＤ処理部４２）に指示をして画質調整モード設定メニューＧｃを重畳表示
させる際の制御部２０が、モード設定部に相当する。
【００４８】
（変形例）
なお、上記実施形態は、以下のように変更してもよい。
【００４９】
上記実施形態では、ＯＳＤ画像が重畳されている場合、画質調整部３２は、ＯＳＤ領域
を画質調整の対象から除外して、ＯＳＤ画像の外側の背景領域にのみ画質調整を施してい
るが、この態様に限定されない。例えば、ＯＳＤ画像が重畳されている場合には、画像全
域、即ちＯＳＤ領域と背景領域の双方を画質調整の対象から除外するようにしてもよい。
ただし、この場合には、ＯＳＤ画像が重畳される際に、それまで画質調整がなされてきた
背景領域において画質が変化してしまい、ユーザに違和感を与えてしまうことから、上記
実施形態のようにＯＳＤ領域のみを画質調整の対象から除外することが望ましい。
【００５０】
上記実施形態では、画質調整部３２は、ＯＳＤ領域に対して画質調整を施すことなく画
像投写部１０に出力しているが、この態様に限定されない。例えば、ＯＳＤ領域に対して
は、ユーザの設定に依らずに常に特定の画質調整モード（例えば、「ダイナミック」）で
画質調整を施すようにしてもよい。
【００５１】
上記実施形態では、光変調装置として３つの液晶ライトバルブ１２Ｒ，１２Ｇ，１２Ｂ
を用いた３板式のプロジェクタについて説明したが、これに限定されない。例えば、各画
素の中にそれぞれＲ光、Ｇ光、Ｂ光を透過可能なサブ画素を含んだ１つの液晶ライトバル
ブによって画像を形成する態様とすることも可能である。
【００５２】
上記実施形態では、光変調装置として、透過型の液晶ライトバルブ１２Ｒ，１２Ｇ，１
２Ｂを用いているが、反射型の液晶ライトバルブ等、反射型の光変調装置を用いることも
可能である。また、入射した光の射出方向を、画素としてのマイクロミラー毎に制御する
ことにより、光源１１から射出される光を変調する微小ミラーアレイデバイス等を用いる
こともできる。
【００５３】
上記実施形態では、光源１１は、放電型の光源ランプ１１ａによって構成されているが
、ＬＥＤ（Light Emitting Diode：発光ダイオード）光源等の固体光源や、その他の光源
を用いることもできる。
【図面の簡単な説明】
【００５４】
【図１】（ａ）、（ｂ）は、本実施形態のプロジェクタを示す斜視図であり、（ａ）は、プロジェクタを前面側から見た図、（ｂ）は、プロジェクタを背面側から見た図。
【図２】プロジェクタの概略構成を示すブロック図。
【図３】入力画像上に重畳された環境設定メニューを示す図。
【図４】画質調整モード設定メニューを示す図。
【図５】画質調整部の詳細な構成を示すブロック図。
【符号の説明】
【００５５】
１…プロジェクタ、２…筐体、１０…画像投写部、１１…光源、１２Ｒ，１２Ｇ，１２
Ｂ…液晶ライトバルブ、１３…投写レンズ、１４…ライトバルブ駆動部、２０…制御部、
２１…記憶部、２２…操作パネル、２３…リモコン、２４…操作信号受信部、３０…画像
情報入力部、３１…画像処理部、３２…画質調整部、４１…スケーラ、４２…ＯＳＤ処理
部、４３…ＯＳＤメモリ、５１…画像分離部、５２…画質調整処理部、５３…バッファ、
５４…画像合成部、Ｇｉ…入力画像、Ｇｍ…環境設定メニュー、Ｇｃ…画質調整モード設
定メニュー、Ｓ…投写面。
【図１】
2009223109.tif 000003
【図２】
2009223109.tif 000004
【図３】
2009223109.tif 000005
【図４】
2009223109.tif 000006
【図５】
2009223109.tif 000007